(57)【要約】【課題】ビル監視用データベースの編集作業の効率を向上させることができるビル監視用データベース編集システムを得る。【解決手段】ビル監視用データベースを編集するビル監視用データベース編集ツール３１１と、監視対象装置用コントローラ１２１のコントローラ特定情報が入力される特定情報入力装置３１２と、ビル監視用データベース編集ツール３１１のツール情報と監視対象装置用コントローラ１２１に既にインストールされているビル監視用データベースのデータベース情報とを取得するバージョン情報取得装置３２１と、ビル監視用データベース編集ツール３１１のバージョンの変更が必要であるか否かを判定する編集ツールバージョン変更判定装置３２２と、ビル監視用データベース編集ツール３１１のバージョンを変更する編集ツールバージョン変更装置３２３とを備えている。【選択図】図２
2013037444.tif 000002
【特許請求の範囲】
【請求項１】
監視対象装置を監視するビル監視装置にインストールされたビル監視用データベースを編集するビル監視用データベース編集システムであって、
前記ビル監視用データベースを編集するビル監視用データベース編集ツールと、
前記ビル監視装置を特定するビル監視装置特定情報が入力される特定情報入力装置と、
前記ビル監視用データベース編集ツールのバージョンを示すツール情報と前記ビル監視装置特定情報により特定される前記ビル監視装置に既にインストールされている前記ビル監視用データベースのバージョンを示すデータベース情報とを取得するバージョン情報取得装置と、
前記ツール情報および前記データベース情報に基づいて、前記ビル監視用データベース編集ツールのバージョンの変更が必要であるか否かを判定する編集ツールバージョン変更判定装置と、
前記編集ツールバージョン変更判定装置の判定結果に基づいて、前記ビル監視装置に既にインストールされている前記ビル監視用データベースのバージョンに対応するように前記ビル監視用データベース編集ツールのバージョンを変更する編集ツールバージョン変更装置と
を備え、
前記ビル監視用データベース編集ツールは、前記編集ツールバージョン変更装置により変更されたバージョンで、前記ビル監視用データベースを編集することを特徴とするビル監視用データベース編集システム。
【請求項２】
前記ビル監視装置に追加される機能を示す追加機能情報が入力される追加機能情報入力装置と、
前記データベース情報および前記追加機能情報に基づいて、前記ビル監視装置にインストールされる前記ビル監視用データベースにバージョンアップが必要であるか否かを判定するバージョンアップ判定装置と、
前記ビル監視用データベースのバージョンアップが必要であると前記バージョンアップ判定装置が判定する場合に、前記追加機能情報により特定される機能の追加が可能である前記ビル監視用データベースのバージョンの情報を報知する報知装置と
をさらに備えたことを特徴とする請求項１に記載のビル監視用データベース編集システム。
【請求項３】
前記バージョン情報取得装置は、前記ビル監視装置のバージョンを示す実機情報をさらに取得し、
前記バージョンアップ判定装置は、前記追加機能情報および前記実機情報に基づいて、前記ビル監視装置にバージョンアップが必要であるか否かをさらに判定し、
前記報知装置は、前記ビル監視装置のバージョンアップが必要であると前記バージョンアップ判定装置が判定する場合に、前記追加機能情報により特定される機能の追加が可能である前記ビル監視装置のバージョンの情報を報知することを特徴とする請求項２に記載のビル監視用データベース編集システム。
【請求項４】
監視対象装置を監視するビル監視装置にインストールされたビル監視用データベースを編集するビル監視用データベース編集方法であって、
ビル監視装置を特定するビル監視装置特定情報が入力される特定情報入力工程と、
前記ビル監視用データベースを編集するビル監視用データベース編集ツールのバージョンを示すツール情報と前記ビル監視装置特定情報により特定される前記ビル監視装置に既にインストールされている前記ビル監視用データベースのバージョンを示すデータベース情報とを取得するバージョン情報取得工程と、
前記ツール情報および前記データベース情報に基づいて、前記ビル監視用データベース編集ツールのバージョンの変更が必要であるか否かを判定する編集ツールバージョン変更判定工程と、
前記編集ツールバージョン変更判定工程の判定結果に基づいて、前記ビル監視装置に既にインストールされている前記ビル監視用データベースのバージョンに対応するように前記ビル監視用データベース編集ツールのバージョンを変更する編集ツールバージョン変更工程と、
前記編集ツールバージョン変更工程でバージョンが変更された前記ビル監視用データベース編集ツールが前記ビル監視用データベースを編集するデータベース編集工程と
を備えたことを特徴とするビル監視用データベース編集方法。
【発明の詳細な説明】
【技術分野】
【０００１】
この発明は、監視対象装置を監視するビル監視装置にインストールされたビル監視用データベースを編集するビル監視用データベース編集システムおよびビル監視用データベース編集方法に関する。
【背景技術】
【０００２】
従来、ビルに設置される監視対象装置と、監視対象装置を監視するビル監視装置と、ビル監視装置に対してビル監視用データベースをインストールするインストール装置とを備えたビル監視システムが知られている。インストール装置は、ビル監視装置の動作条件が変更される場合に、動作条件の変更に対応して編集されたビル監視用データベースをビル監視装置に再インストールする（例えば、特許文献１参照）。
【先行技術文献】
【特許文献】
【０００３】
【特許文献１】特開２００２−２１５２２２号公報
【発明の概要】
【発明が解決しようとする課題】
【０００４】
しかしながら、ビル監視用データベースは、ビル監視システムに新規の機能が追加される度に、バージョンアップが行われる。また、ビル監視用データベースを編集するためのソフトウエアであるビル監視用データベース編集ツールは、ビル監視用データベースのバージョンアップにともなって、バージョンアップが行われる。新たにビル監視用データベースを編集したビル監視用データベース編集ツールのバージョンが、ビル監視装置に既にインストールされているビル監視用データベースのバージョンに対応していない場合には、新たにビル監視用データベース編集ツールが編集したビル監視用データベースをビル監視装置にインストールすると、ビル監視装置が動作しない恐れがある。したがって、ビル監視用データベースを編集する際には、ビル監視用データベース編集ツールのバージョンとビル監視装置に既にインストールされているビル監視用データベースのバージョンとが互いに対応しているか否かを作業者が調べなければならず、ビル監視用データベースの編集作業の効率が悪いという問題点があった。
【０００５】
この発明は、ビル監視用データベースの編集作業の効率を向上させることができるビル監視用データベース編集システムおよびビル監視用データベース編集方法を提供するものである。
【課題を解決するための手段】
【０００６】
この発明に係るビル監視用データベース編集システムは、監視対象装置を監視するビル監視装置にインストールされたビル監視用データベースを編集するビル監視用データベース編集システムであって、前記ビル監視用データベースを編集するビル監視用データベース編集ツールと、前記ビル監視装置を特定するビル監視装置特定情報が入力される特定情報入力装置と、前記ビル監視用データベース編集ツールのバージョンを示すツール情報と前記ビル監視装置特定情報により特定される前記ビル監視装置に既にインストールされている前記ビル監視用データベースのバージョンを示すデータベース情報とを取得するバージョン情報取得装置と、前記ツール情報および前記データベース情報に基づいて、前記ビル監視用データベース編集ツールのバージョンの変更が必要であるか否かを判定する編集ツールバージョン変更判定装置と、前記編集ツールバージョン変更判定装置の判定結果に基づいて、前記ビル監視装置に既にインストールされている前記ビル監視用データベースのバージョンに対応するように前記ビル監視用データベース編集ツールのバージョンを変更する編集ツールバージョン変更装置とを備え、前記ビル監視用データベース編集ツールは、前記編集ツールバージョン変更装置により変更されたバージョンで、前記ビル監視用データベースを編集する。
【０００７】
この発明に係るビル監視用データベース編集方法は、監視対象装置を監視するビル監視装置にインストールされたビル監視用データベースを編集するビル監視用データベース編集方法であって、ビル監視装置を特定するビル監視装置特定情報が入力される特定情報入力工程と、前記ビル監視用データベースを編集するビル監視用データベース編集ツールのバージョンを示すツール情報と前記ビル監視装置特定情報により特定される前記ビル監視装置に既にインストールされている前記ビル監視用データベースのバージョンを示すデータベース情報とを取得するバージョン情報取得工程と、前記ツール情報および前記データベース情報に基づいて、前記ビル監視用データベース編集ツールのバージョンの変更が必要であるか否かを判定する編集ツールバージョン変更判定工程と、前記編集ツールバージョン変更判定工程の判定結果に基づいて、前記ビル監視装置に既にインストールされている前記ビル監視用データベースのバージョンに対応するように前記ビル監視用データベース編集ツールのバージョンを変更する編集ツールバージョン変更工程と、前記編集ツールバージョン変更工程でバージョンが変更された前記ビル監視用データベース編集ツールが前記ビル監視用データベースを編集するデータベース編集工程とを備えている。
【発明の効果】
【０００８】
この発明に係るビル監視用データベース編集システムによれば、ビル監視用データベースを編集するビル監視用データベース編集ツールと、ビル監視装置を特定するビル監視装置特定情報が入力される特定情報入力装置と、ビル監視用データベース編集ツールのバージョンを示すツール情報とビル監視装置特定情報により特定されるビル監視装置に既にインストールされているビル監視用データベースのバージョンを示すデータベース情報とを取得するバージョン情報取得装置と、ツール情報およびデータベース情報に基づいて、ビル監視用データベース編集ツールのバージョンの変更が必要であるか否かを判定する編集ツールバージョン変更判定装置と、編集ツールバージョン変更判定装置の判定結果に基づいて、ビル監視装置に既にインストールされているビル監視用データベースのバージョンに対応するようにビル監視用データベース編集ツールのバージョンを変更する編集ツールバージョン変更装置とを備え、ビル監視用データベース編集ツールは、編集ツールバージョン変更装置により変更されたバージョンで、ビル監視用データベースを編集するので、ビル監視用データベースを編集する際に、ビル監視用データベース編集ツールのバージョンとビル監視装置に既にインストールされているビル監視用データベースのバージョンとが互いに対応しているか否かを作業者が調べることなく、ビル監視装置に既にインストールされているビル監視用データベースのバージョンに対応するバージョンのビル監視用データベース編集ツールを用いてビル監視用データベースを編集することができる。これにより、ビル監視用データベースの編集作業の効率を向上させることができる。
【０００９】
この発明に係るビル監視用データベース編集方法によれば、ビル監視装置を特定するビル監視装置特定情報が入力される特定情報入力工程と、ビル監視用データベースを編集するビル監視用データベース編集ツールのバージョンを示すツール情報とビル監視装置特定情報により特定されるビル監視装置に既にインストールされているビル監視用データベースのバージョンを示すデータベース情報とを取得するバージョン情報取得工程と、ツール情報およびデータベース情報に基づいて、ビル監視用データベース編集ツールのバージョンの変更が必要であるか否かを判定する編集ツールバージョン変更判定工程と、編集ツールバージョン変更判定工程の判定結果に基づいて、ビル監視装置に既にインストールされているビル監視用データベースのバージョンに対応するようにビル監視用データベース編集ツールのバージョンを変更する編集ツールバージョン変更工程と、編集ツールバージョン変更工程でバージョンが変更されたビル監視用データベース編集ツールがビル監視用データベースを編集するデータベース編集工程とを備えているので、ビル監視用データベースを編集する際に、ビル監視用データベース編集ツールのバージョンとビル監視装置に既にインストールされているビル監視用データベースのバージョンとが互いに対応しているか否かを作業者が調べることなく、ビル監視装置に既にインストールされているビル監視用データベースのバージョンに対応するバージョンのビル監視用データベース編集ツールを用いてビル監視用データベースを編集することができる。これにより、ビル監視用データベースの編集作業の効率を向上させることができる。
【図面の簡単な説明】
【００１０】
【図１】この発明の実施の形態１に係るビル監視用データベース編集システムを示す構成図である。
【図２】図１のビル監視用データベース編集システム本体を示すブロック図である。
【図３】図２のビル監視用データベース編集ツールによるビル監視用データベースの作成および編集の流れを示すフローチャートである。
【図４】図１のビル監視用データベース編集システムによるビル監視用データベースの編集の流れを示すフローチャートである。
【発明を実施するための形態】
【００１１】
実施の形態１．
図１はこの発明の実施の形態１に係るビル監視用データベース編集システムを示す構成図である。図において、ビル監視用データベース編集システムは、ビルに設置されるビル監視システム１と、ビル監視システム１に対して、インターネット２を介して接続されたビル監視用データベース編集システム本体３とを備えている。図１では、１つのビル監視システム１を示しているが、この例では、複数のビルのそれぞれにビル監視システム１が設置されている。
【００１２】
ビル監視システム１は、監視対象装置１１と、監視対象装置１１を監視するビル監視装置１２とを有している。監視対象装置１１としては、例えば、空調装置や照明装置等が挙げられる。ビル監視装置１２は、監視対象装置１１を制御する監視対象装置用コントローラ１２１と、監視対象装置用コントローラ１２１との間で通信を行うビル監視サーバ１２２と、ビル監視サーバ１２２との間で通信を行うビル監視パソコン１２３とを有している。監視対象装置用コントローラ１２１およびビル監視サーバ１２２のそれぞれには、互いに異なるビル監視用データベースがインストールされている。各ビル監視用データベースは、ビル監視システム１の機能に対応して、作業者により作成される。ビル監視装置１２は、監視対象装置用コントローラ１２１およびビル監視サーバ１２２のそれぞれにビル監視用データベースがインストールされることにより、監視対象装置１１を監視する。ビル監視パソコン１２３は、ビル監視サーバ１２２との間で通信を行うことにより、監視対象装置１１の動作状況情報を取得して、監視対象装置１１の動作状況を表示する。監視対象装置用コントローラ１２１にインストールされるビル監視用データベースおよびビル監視サーバ１２２にインストールされるビル監視用データベースは、ビル監視用データベース編集システム本体３で作成および編集が行われるソフトウエアである。この例では、監視対象装置用コントローラ１２１にインストールされるビル監視用データベースについて説明する。
【００１３】
ビル監視用データベース編集システム本体３は、作業者により操作される作業用パソコン３１と、作業用パソコン３１に接続されたバージョン管理装置３２とを有している。図１では、１つの作業用パソコン３１を示しているが、この例では、複数の作業用パソコン３１がバージョン管理装置３２に接続されている。
【００１４】
図２は図１のビル監視用データベース編集システム本体３を示すブロック図である。図において、作業用パソコン３１は、監視対象装置用コントローラ１２１に新規にインストールされるビル監視用データベースの作成および監視対象装置用コントローラ１２１に既にインストールされているビル監視用データベースの編集のそれぞれを行うためのソフトウエアであるビル監視用データベース編集ツール３１１と、既にインストールされているビル監視用データベースが編集される監視対象装置用コントローラ１２１を特定するコントローラ特定情報（ビル監視装置特定情報）が入力される特定情報入力装置３１２とを有している。
【００１５】
また、作業用パソコン３１は、ビル監視装置１２に追加される機能を示す追加機能情報が入力される追加機能情報入力装置３１３と、作業用パソコン３１を操作する作業者に対して報知する表示装置（報知装置）３１４とを有している。
【００１６】
ビル監視用データベース編集ツール３１１は、ビル監視用データベースを内包している。ビル監視用データベース編集ツール３１１は、作業者が作業用パソコン３１を操作することにより、内包するビル監視用データベースの作成および編集を行う。特定情報入力装置３１２は、作業者が作業用パソコン３１を操作することにより、コントローラ特定情報が入力される。追加機能情報入力装置３１３は、作業者が作業用パソコン３１を操作することにより、追加機能情報が入力される。
【００１７】
ビル監視用データベースは、新規作成される場合には、新規作成されるときにおいて最新であるバージョンで作成される。つまり、監視対象装置用コントローラ１２１にインストールされるビル監視用データベースのバージョンは、ビル監視用データベースが新規作成される場合に、一意的に決定される。また、監視対象装置用コントローラ１２１にインストールされるビル監視用データベースのバージョンは、監視対象装置用コントローラ１２１にインストールされた後に、そのビル監視用データベースが編集されて再インストールされる場合には、監視対象装置用コントローラ１２１にインストールされているビル監視用データベースがビル監視用データベース編集ツール３１１にバックアップされ、バックアップされたビル監視用データベースが編集されるものの、編集されるビル監視用データベースは、基本的には、最初に監視対象装置用コントローラ１２１にインストールされたときのバージョンのままとなる。つまり、一度、監視対象装置用コントローラ１２１にインストールされたビル監視用データベースのバージョンは、その後にビル監視用データベースが編集される場合であっても、基本的には、そのバージョンは変更されない。例外的に、監視対象装置用コントローラ１２１にインストールされたビル監視用データベースをバージョンアップする場合には、工場などの機関にその依頼をして実施される。
【００１８】
バージョン管理装置３２は、ビル監視用データベース編集ツール３１１のバージョンを示すツール情報、コントローラ特定情報、監視対象装置用コントローラ１２１に既にインストールされているビル監視用データベースのバージョンを示すデータベース情報および監視対象装置用コントローラ１２１のバージョンを示す実機情報を取得するバージョン情報取得装置３２１と、ビル監視用データベース編集ツール３１１のバージョンを変更する必要があるか否かを判定する編集ツールバージョン変更判定装置３２２と、ビル監視用データベース編集ツール３１１のバージョンを変更する編集ツールバージョン変更装置３２３と、監視対象装置用コントローラ１２１にインストールされるビル監視用データベースにバージョンアップが必要であるか否かを判定し、また、監視対象装置用コントローラ１２１にバージョンアップが必要であるか否かを判定するバージョンアップ判定装置３２４とを有している。実機情報とは、監視対象装置用コントローラ１２１のハードウエアのバージョンを示す情報である。
【００１９】
バージョン情報取得装置３２１は、ビル監視用データベース編集ツール３１１からそのビル監視用データベース編集ツール３１１のツール情報を取得する。また、バージョン情報取得装置３２１は、特定情報入力装置３１２からビル監視用データベースが編集される監視対象装置用コントローラ１２１のコントローラ特定情報を取得する。また、バージョン情報取得装置３２１は、取得したコントローラ特定情報により特定される監視対象装置用コントローラ１２１に既にインストールされているビル監視用データベースのデータベース情報およびその監視対象装置用コントローラ１２１の実機情報をビル監視装置１２から取得する。
【００２０】
編集ツールバージョン変更判定装置３２２は、バージョン情報取得装置３２１が取得したツール情報およびデータベース情報に基づいて、監視対象装置用コントローラ１２１に既にインストールされているビル監視用データベースのバージョンに、ビル監視用データベース編集ツール３１１のバージョンが対応しているか否か、つまり、ビル監視用データベース編集ツール３１１のバージョンの変更が必要であるか否かを判定する。
【００２１】
編集ツールバージョン変更装置３２３は、編集ツールバージョン変更判定装置３２２の判定結果に基づいて、ビル監視用データベース編集ツール３１１のバージョンを変更する。つまり、編集ツールバージョン変更装置３２３は、編集ツールバージョン変更判定装置３２２の判定結果に基づいて、監視対象装置用コントローラ１２１に既にインストールされているビル監視用データベースのバージョンに対応するようにビル監視用データベース編集ツール３１１のバージョンを変更する。なお、ビル監視用データベース編集ツール３１１のバージョンが、監視対象装置用コントローラ１２１に既にインストールされているビル監視用データベースのバージョンに既に対応している場合には、編集ツールバージョン変更装置３２３は、ビル監視用データベース編集ツール３１１のバージョンをそのままにする。
【００２２】
バージョンアップ判定装置３２４は、バージョン情報取得装置３２１が取得したデータベース情報および追加機能情報に基づいて、監視対象装置用コントローラ１２１にインストールされるビル監視用データベースにバージョンアップが必要であるか否かを判定する。また、バージョンアップ判定装置３２４は、バージョン情報取得装置３２１が取得した追加機能情報および実機情報に基づいて、監視対象装置用コントローラ１２１にバージョンアップが必要であるか否かを判定する。監視対象装置用コントローラ１２１のバージョンアップとは、監視対象装置用コントローラ１２１のハードウエアのバージョンアップである。
【００２３】
表示装置３１４は、監視対象装置用コントローラ１２１にインストールされるビル監視用データベースにバージョンアップが必要であるか否かについてのバージョンアップ判定装置３２４の判定結果と、監視対象装置用コントローラ１２１にバージョンアップが必要であるか否かについてのバージョンアップ判定装置３２４の判定結果とを表示する。また、表示装置３１４は、監視対象装置用コントローラ１２１にインストールされるビル監視用データベースにバージョンアップが必要であるとバージョンアップ判定装置３２４が判定する場合に、追加機能情報により特定される機能の追加が可能であるビル監視用データベースのバージョンの情報を表示する。また、表示装置３１４は、監視対象装置用コントローラ１２１にバージョンアップが必要であるとバージョンアップ判定装置３２４が判定する場合に、追加機能情報により特定される機能の追加が可能である監視対象装置用コントローラ１２１のバージョンの情報を表示する。
【００２４】
次に、ビル監視用データベース編集ツール３１１によるビル監視用データベースの作成および編集の基本的な流れについて説明する。図３は図２のビル監視用データベース編集ツール３１１によるビル監視用データベースの作成および編集の流れを示すフローチャートである。図において、まず、ビル監視用データベース編集ツール３１１により、ビル監視用データベースが新規作成される（ステップＳ１０１）。このとき、ビル監視用データベースのバージョンは最新のバージョンである。
【００２５】
その後、新規作成されたビル監視用データベースが監視対象装置用コントローラ１２１にインストールされる（ステップＳ１０２）。その後、監視対象装置用コントローラ１２１にインストールされたビル監視用データベースを編集する場合には、ビル監視用データベース編集ツール３１１は、監視対象装置用コントローラ１２１にインストールされているビル監視用データベースを読み込んでバックアップする（ステップＳ１０３）。
【００２６】
その後、ビル監視用データベース編集ツール３１１により、読み込まれたビル監視用データベースが編集される（ステップＳ１０４）。その後、編集されたビル監視用データベースが監視対象装置用コントローラ１２１に再インストールされる（ステップＳ１０５）。
【００２７】
次に、ビル監視用データベース編集システムの動作について説明する。図４は図１のビル監視用データベース編集システムによるビル監視用データベースの編集の流れを示すフローチャートである。まず、バージョン情報取得装置３２１は、特定情報入力装置３１２にコントローラ特定情報の入力（特定情報入力工程）がされたか否かを判定する（ステップＳ２０１）。ステップＳ２０１で、特定情報入力装置３１２にコントローラ特定情報が入力されていないとバージョン情報取得装置３２１が判定すると、作業者によるビル監視用データベースの編集が開始されていないので、ステップＳ２０１が繰り返される。
【００２８】
一方、ステップＳ２０１で、特定情報入力装置３１２にコントローラ特定情報が入力されたとバージョン情報取得装置３２１が判定すると、バージョン情報取得装置３２１は、ビル監視用データベース編集ツール３１１のツール情報と、コントローラ特定情報により特定される監視対象装置用コントローラ１２１のデータベース情報および実機情報とを取得する（バージョン情報取得工程）（ステップＳ２０２）。
【００２９】
その後、編集ツールバージョン変更判定装置３２２は、バージョン情報取得装置３２１が取得したツール情報およびデータベース情報に基づいて、ビル監視用データベース編集ツール３１１のバージョンの変更が必要であるか否かを判定する（編集ツールバージョン変更判定工程）（ステップＳ２０３）。
【００３０】
ステップＳ２０３で、ビル監視用データベース編集ツール３１１のバージョンの変更が必要であると編集ツールバージョン変更判定装置３２２が判定した場合には、編集ツールバージョン変更装置３２３は、監視対象装置用コントローラ１２１に既にインストールされているビル監視用データベースのバージョンに対応するようにビル監視用データベース編集ツール３１１のバージョンを変更する（編集ツールバージョン変更工程）（ステップＳ２０４）。一方、ステップＳ２０３で、ビル監視用データベース編集ツール３１１のバージョンの変更が必要ないと編集ツールバージョン変更判定装置３２２が判定した場合には、そのまま次に進む。
【００３１】
その後、バージョンアップ判定装置３２４は、追加機能情報入力装置３１３に追加機能情報が入力されたか否かを判定する（ステップＳ２０５）。ステップＳ２０５で、追加機能情報入力装置３１３に追加機能情報が入力されていないとバージョンアップ判定装置３２４が判定すると、ビル監視装置１２に新たな機能が追加されないので、ビル監視用データベース編集ツール３１１は、編集ツールバージョン変更装置３２３により変更されたバージョンで、ビル監視用データベースを編集する（データベース編集工程）（ステップＳ２０６）。その後、ビル監視用データベースの編集が終了する。
【００３２】
一方、ステップＳ２０５で、追加機能情報入力装置３１３に追加機能情報が入力されたとバージョンアップ判定装置３２４が判定すると、バージョンアップ判定装置３２４は、データベース情報および追加機能情報に基づいて、監視対象装置用コントローラ１２１にインストールされるビル監視用データベースにバージョンアップが必要であるか否かを判定する（データベースバージョンアップ判定工程）（ステップＳ２０７）。
【００３３】
ステップＳ２０７で、監視対象装置用コントローラ１２１にインストールされるビル監視用データベースにバージョンアップが必要ないとバージョンアップ判定装置３２４が判定すると、ステップＳ２０６に進む。一方、ステップＳ２０７で、監視対象装置用コントローラ１２１にインストールされるビル監視用データベースにバージョンアップが必要であるとバージョンアップ判定装置３２４が判定すると、表示装置３１４は、バージョンアップ判定装置３２４の判定結果および追加機能情報により特定される機能の追加が可能であるビル監視用データベースのバージョンの情報を表示する（データベースバージョン報知工程）（ステップＳ２０８）。
【００３４】
その後、バージョンアップ判定装置３２４は、追加機能情報および実機情報に基づいて、監視対象装置用コントローラ１２１にバージョンアップが必要であるか否かを判定する（ビル監視装置バージョンアップ判定工程）（ステップＳ２０９）。
【００３５】
ステップＳ２０９で、監視対象装置用コントローラ１２１のバージョンアップは必要がないとバージョンアップ判定装置３２４が判定すると、そのまま、ビル監視用データベースの編集が終了する。一方、ステップＳ２０９で、監視対象装置用コントローラ１２１にハードウエアのバージョンアップが必要であるとバージョンアップ判定装置３２４が判定すると、表示装置３１４は、バージョンアップ判定装置３２４の判定結果および追加機能情報により特定される機能の追加が可能である監視対象装置用コントローラ１２１のバージョンの情報を表示する（ビル監視装置バージョン報知工程）（ステップＳ２１０）。その後、ビル監視用データベースの編集が終了する。
【００３６】
以上説明したように、この発明の実施の形態１に係るビル監視用データベース編集システムによれば、ビル監視用データベースを編集するビル監視用データベース編集ツール３１１と、監視対象装置用コントローラ１２１を特定するコントローラ特定情報が入力される特定情報入力装置３１２と、ビル監視用データベース編集ツール３１１のバージョンを示すツール情報とコントローラ特定情報により特定される監視対象装置用コントローラ１２１に既にインストールされているビル監視用データベースのバージョンを示すデータベース情報とを取得するバージョン情報取得装置３２１と、ツール情報およびデータベース情報に基づいて、ビル監視用データベース編集ツール３１１のバージョンの変更が必要であるか否かを判定する編集ツールバージョン変更判定装置３２２と、編集ツールバージョン変更判定装置３２２の判定結果に基づいて、監視対象装置用コントローラ１２１に既にインストールされているビル監視用データベースのバージョンに対応するようにビル監視用データベース編集ツール３１１のバージョンを変更する編集ツールバージョン変更装置３２３とを備え、ビル監視用データベース編集ツール３１１は、編集ツールバージョン変更装置３２３により変更されたバージョンで、ビル監視用データベースを編集するので、ビル監視用データベースを編集する際に、ビル監視用データベース編集ツール３１１のバージョンと監視対象装置用コントローラ１２１に既にインストールされているビル監視用データベースのバージョンとが互いに対応しているか否かを作業者が調べることなく、監視対象装置用コントローラ１２１に既にインストールされているビル監視用データベースのバージョンに対応するバージョンのビル監視用データベース編集ツール３１１を用いてビル監視用データベースを編集することができる。これにより、ビル監視用データベースの編集作業の効率を向上させることができる。また、ビル監視用データベース編集ツール３１１のバージョンと監視対象装置用コントローラ１２１に既にインストールされているビル監視用データベースのバージョンとが互いに対応しているか否かを作業者が調べる必要がないので、ヒューマンエラーによる監視対象装置用コントローラ１２１の動作異常の発生を防止することができる。
【００３７】
また、ビル監視用データベース編集システムは、監視対象装置用コントローラ１２１に追加される機能を示す追加機能情報が入力される追加機能情報入力装置３１３と、データベース情報および追加機能情報に基づいて、監視対象装置用コントローラ１２１にインストールされるビル監視用データベースにバージョンアップが必要であるか否かを判定するバージョンアップ判定装置３２４と、ビル監視用データベースのバージョンアップが必要であるとバージョンアップ判定装置３２４が判定する場合に、追加機能情報により特定される機能の追加が可能であるビル監視用データベースのバージョンの情報を報知する表示装置３１４とをさらに備えているので、監視対象装置用コントローラ１２１に機能を追加するためにビル監視用データベースのバージョンアップが必要である場合に、作業者に対して監視対象装置用コントローラ１２１にインストールされるビル監視用データベースの必要なバージョンの情報を知らせることができる。
【００３８】
また、バージョン情報取得装置３２１は、監視対象装置用コントローラ１２１のバージョンを示す実機情報をさらに取得し、バージョンアップ判定装置３２４は、追加機能情報および実機情報に基づいて、監視対象装置用コントローラ１２１にバージョンアップが必要であるか否かをさらに判定し、表示装置３１４は、監視対象装置用コントローラ１２１のバージョンアップが必要であるとバージョンアップ判定装置３２４が判定する場合に、追加機能情報により特定される機能の追加が可能である監視対象装置用コントローラ１２１のバージョンの情報を報知するので、ビル監視装置１２に機能を追加するために監視対象装置用コントローラ１２１のバージョンアップが必要である場合に、作業者に対して監視対象装置用コントローラ１２１の必要なバージョンの情報を知らせることができる。
【００３９】
また、この発明の実施の形態１に係るビル監視用データベース編集方法によれば、監視対象装置用コントローラ１２１を特定するコントローラ特定情報が入力される特定情報入力工程と、ビル監視用データベースを編集するビル監視用データベース編集ツール３１１のバージョンを示すツール情報とコントローラ特定情報により特定される監視対象装置用コントローラ１２１に既にインストールされているビル監視用データベースのバージョンを示すデータベース情報とを取得するバージョン情報取得工程と、ツール情報およびデータベース情報に基づいて、ビル監視用データベース編集ツール３１１のバージョンの変更が必要であるか否かを判定する編集ツールバージョン変更判定工程と、編集ツールバージョン変更判定工程の判定結果に基づいて、監視対象装置用コントローラ１２１に既にインストールされているビル監視用データベースのバージョンに対応するようにビル監視用データベース編集ツール３１１のバージョンを変更する編集ツールバージョン変更工程と、編集ツールバージョン変更工程でバージョンが変更されたビル監視用データベース編集ツール３１１がビル監視用データベースを編集するデータベース編集工程とを備えているので、ビル監視用データベースを編集する際に、ビル監視用データベース編集ツール３１１のバージョンと監視対象装置用コントローラ１２１に既にインストールされているビル監視用データベースのバージョンとが互いに対応しているか否かを作業者が調べることなく、監視対象装置用コントローラ１２１に既にインストールされているビル監視用データベースのバージョンに対応するバージョンのビル監視用データベース編集ツール３１１を用いてビル監視用データベースを編集することができる。これにより、ビル監視用データベースの編集作業の効率を向上させることができる。
【００４０】
なお、上記実施の形態１では、報知装置として、表示装置３１４を例に説明したが、これに限らず、例えば、追加機能情報により特定される機能の追加が可能であるビル監視用データベースのバージョンの情報をアナウンスしたり、追加機能情報により特定される機能の追加が可能である監視対象装置用コントローラ１２１のバージョンの情報をアナウンスしたりするスピーカ装置であってもよい。
【００４１】
また、上記実施の形態１では、ビル監視装置１２にインストールされるビル監視用データベースとして、監視対象装置用コントローラ１２１にインストールされるビル監視用データベースを例に説明したが、ビル監視サーバ１２２にインストールされるビル監視用データベースであってもよい。この場合、特定情報入力装置３１２には、ビル監視サーバ１２２を特定するビル監視サーバ特定情報（ビル監視装置特定情報）が入力される。バージョン情報取得装置３２１は、特定情報入力装置３１２からビル監視用データベースが編集されるビル監視サーバ１２２のビル監視サーバ特定情報を取得し、取得したビル監視サーバ特定情報により特定されるビル監視サーバ１２２に既にインストールされているビル監視用データベースのデータベース情報をビル監視装置１２から取得する。編集ツールバージョン変更判定装置３２２は、ツール情報およびデータベース情報に基づいて、ビル監視サーバ１２２に既にインストールされているビル監視用データベースのバージョンに、ビル監視用データベース編集ツール３１１のバージョンが対応しているか否かを判定する。編集ツールバージョン変更装置３２３は、編集ツールバージョン変更判定装置３２２の判定結果に基づいて、ビル監視サーバ１２２に既にインストールされているビル監視用データベースのバージョンに対応するようにビル監視用データベース編集ツール３１１のバージョンを変更する。
【符号の説明】
【００４２】
１  ビル監視システム、２  インターネット、３  ビル監視用データベース編集システム本体、１１  監視対象装置、１２  ビル監視装置、３１  作業用パソコン、３２  バージョン管理装置、１２１  監視対象装置用コントローラ、１２２  ビル監視サーバ、１２３  ビル監視パソコン、３１１  ビル監視用データベース編集ツール、３１２  特定情報入力装置、３１３  追加機能情報入力装置、３１４  表示装置（報知装置）、３２１  バージョン情報取得装置、３２２  編集ツールバージョン変更判定装置、３２３  編集ツールバージョン変更装置、３２４  バージョンアップ判定装置。
【図１】
2013037444.tif 000003
【図２】
2013037444.tif 000004
【図３】
2013037444.tif 000005
【図４】
2013037444.tif 000006